(57)【要約】【課題】数多くのデータ送受信するＩＣタグにおいて用途により到達通信距離が異なり最適使用に合致したユニット設計をする必要があり、それぞれの用途別に合わせた感度のユニットにしなければならない等の問題があった。【解決手段】本発明は、用途別にデータ送受信が混信なく確実に出来る様に最適通信距離を確保したＩＣタグを供給するもので、そのためアンテナコイルが収納されたユニットを共通仕様とし、ユニットと組合せるスリット又は分割した金属製電磁波遮蔽板を設けることによって安価に、用途に合致した通信距離を確保したＩＣタグを提供する。【選択図】図４
2009042854.tif 000002
【特許請求の範囲】
【請求項１】
樹脂フイルム材に情報通信用および情報記録用電子回路と相互通信用のアンテナコイルを有するユニットを形成し、通信感度調整としてスリットを有した金属製電磁波遮蔽板とユニットで構成したことを特徴とするＩＣタグ。
【請求項２】
金属製電磁波遮蔽板は、通信感度調整としてスリットが任意の方向に１本以上入っていることを特徴とする請求項１のＩＣタグ。
【請求項３】
金属製電磁波遮蔽板は、通信感度調整として数分割された任意形状で相互に接触しないように組み込まれている事を特徴とするＩＣタグ。
【請求項４】
金属製電磁遮蔽板は、鉄、銅、ニッケル、アルミニューム、アルミニューム合金、ステンレス、黄銅、クロム、亜鉛で構成されたことを特徴とする請求項１から３のＩＣタグ。
【発明の詳細な説明】
【技術分野】
【０００１】
データ送受信するためＩＣを有する電子回路とアンテナコイルをもったＩＣタグに関し、データ送受信において送受信距離によって通信上の問題発生が潜在している。送受信においてデータ通信問題が発生しない最適通信感度を確保することが重要である。従がってＩＣタグに入っている数多くのデータを送受信するためＩＣタグと検出装置の距離に合致した感度調整が必要となる。本発明は、送受信感度調整を任意できる様にスリットを有した電磁波遮蔽板を組合せることによって安価に送受信感度を調整できるものである。感度調整のため金属板にスリットを入れるか、分割した形状の金属板を入れることによって送受信感度を調整し通信距離を任意に決めることの出来るＩＣタグに関するものである。
【背景技術】
【０００２】
送受信距離を任意に変える方法として、発信側の出力調整、または受信側の感度調整をすることにより可能であるが、いずれも送受信における信号到達感度はＩＣタグ感度により個々に異なり感度一定にならない等の問題、更にＩＣタグの感度が大きい場合には、近接する識別情報を感知してしまう等の問題が発生しやすい。
【０００３】
またＩＣタグ感度調整をＩＣ、アンテナで実施するにはＩＣタグ設計時に行うことが必要で、完成後には感度調整できないと言う欠点を有していた。
【０００４】
例えば物品に付与されたＩＣタグの確認を確実なものとするため、受発信電波到達距離を延長できるようにＩＣタグと電気的に絶縁された補助アンテナを付加し、通信を確実にする方法が特許文献１に提案されている。
【０００５】
また複数個の物品を確認するために無線ＩＣタグを物品に付与し、物品に関する情報と対応付けて蓄積する管理装置を有し、無線電波の強度によって無線ＩＣタグの存在を確認する為の検知装置が特許文献２に提案されている。
【０００６】
更に固定、移動物品の存在を検知する為に、物品に付与されたＩＣタグの位置認識のための情報をメモリーに保存する手段を備えて位置確認する方法が特許文献３に提案されている。上記ＩＣタグは情報確認のため、受発信電波到達距離を延長したり、ＩＣタグ本体に情報をメモリーし、情報確認することによって位置認識をしている。本発明は複数個のＩＣタグの信号を混信なく認識する為に、認識システムに合致した感度を確保するように感度調整するための金属製電磁波遮蔽板をもちいて、ＩＣタグ用ユニットに装着し電波到達距離を制限し、複数個のＩＣタグの通信に於ける混信防いだ事を特徴としたＩＣタグを供給するものである。
【０００７】
【特許文献１】特願２００４−７１７８８
【特許文献２】特願２００３−４３５０４９
【特許文献３】特願２００５−３４２３４１
【発明の開示】
【発明が解決しようとする課題】
【０００８】
電子部品及びアンテナコイルで構成されたＩＣタグは、ある一定の感度を有している為ＩＣタグ完成後感度を簡単に変える事が出来なく、また近接した電磁波を遮断するためにはＩＣタグ本体の感度調整が必要になる、然し従来のＩＣタグは感度調整機能がないため使用出来ないと言う問題がある。
【０００９】
本発明の目的はＩＣタグ用ユニットが完成後必要な感度に応じたスリットを有した金属製電磁遮蔽板を装着する事によって容易に、感度調整をしたＩＣタグを安価に提供することにある。        
【課題を解決するための手段】
【００１０】
本発明は、上記問題解決するため、金属製電磁波遮蔽板は、ＩＣタグの必要な感度に合わせたスリット幅、長さ、スリット本数を設ける、また分割した金属製電磁波遮蔽板を接触する事なしにＩＣタグユニットに固定する。金属製電磁波遮蔽板にスリットまたは分割する事により電磁波遮蔽効果が減少し電磁波の透過が制御される。従って必要な強さの電磁波が得られ混信すること無しに情報の送受信が得られことを特徴としたＩＣタグを提供することにある。
【００１１】
更に金属製電磁波遮蔽板の材質を変える事によって感度調整範囲が広くなる。
【発明の効果】
【００１２】
本発明のＩＣタグは連続的に混信なく情報の送受信が正確に出来る様にスリットを有した金属製電磁波遮蔽板をＩＣタグユニットに装着することによって任意に感度調整が出来安価なＩＣタグが提供できた。
【発明を実施するための最良の形態】
【００１３】
情報の送受信を確実にするため、スリットを備えた金属製電磁波遮蔽板をＩＣタグユニットに装着する。金属製電磁波遮蔽板は、感度に応じて材質を鉄、銅、ニッケル、アルミニューム、アルミニューム合金、ステンレス、クロム、亜鉛、黄銅等の金属材料に幅１ｍｍ以上で任意の方向スリット入れ金属製電磁波遮蔽板をユニットと組合せることにより、ＩＣタグユニットが完成した後において必要感度調整を可能としたＩＣタグが実現した。
【実施例１】
【００１４】
図１は、本発明のＩＣタグの立体図であって、１はＩＣタグ本体、２はＩＣタグユニット、３はアンテナ、４はＩＣ、５は構成電子部品、６は表示例を示す。
【００１５】
図２は、本発明のＩＣタグユニット装着部分の立体図ａであって、７はＩＣユニット、８は金属製電磁波遮蔽板、９はスリット部分、１０はＩＣ、１１はアンテナを示す。
【００１６】
図３は、本発明ＩＣタグユニット装着部分の立体図ｂであって、１２は金属製電磁波遮蔽板、１３はスリット、１４はアンテナ、１５はＩＣ、１６は構成電子部品を示す。
【００１７】
図４は本発明のＩＣタグの断面図をであって、１７はＩＣタグケース、１８はＩＣタグユニット、１９は金属製電磁波遮蔽板、２０はスリット、２１はＩＣを示す。
【００１８】
図５はケースにデータ送受信するためのＩＣを有する電子回路とアンテナコイルをもったユニットと１ｍｍから１５ｍｍのスリットを入れた１．２ｍｍ厚さのステンレス電磁波遮蔽板を組合せ、送受信の通信距離を測定した。図５に示すように通信距離はスリットの幅に比例することが分かる。従がって必要通信距離に対応したスリットを設けることによりユニット及び検出装置本体を変更することなく必要に応じた感度を持ったＩＣタグを提供することが出来る。
【００１９】
ＩＣタグに装着する金属製電磁波遮蔽板の材質を鉄、銅、ニッケル、アルミニューム、アルミニュ−ム合金、ステンレス、黄銅、クロム、亜鉛等の金属においても同様な通信距離の制御が可能である。
【産業上の利用可能性】
【００２０】
本発明のＩＣタグは、券売機、検札機、自動販売機、遊戯用、駐車場等の利用に際しデータ送受信するのに適切な感度を有し、適切な送受信感度を得る為に金属板に任意のスリットを入れた電磁波遮蔽板をユニットに装着し、または分割した金属板を接触することなく装着することにより極めて安価にデータ送受信の通信距離を任意に設定したＩＣタグが提供できＩＣタグの普及に寄与する。
【図面の簡単な説明】
【００２１】
【図１】本発明のＩＣタグ立体図。
【図２】本発明のＩＣタグユニット装着部分立体図ａ。
【図３】本発明のＩＣタグユニット装着部分立体図ｂ。
【図４】本発明のＩＣタグ断面図。
【図５】本発明の通信距離特性図。
【符号の説明】
【００２２】
１                      ＩＣタグ本体
２、７、１８            ＩＣタグユニット
３、１１、１４          アンテナ
４、１０、１５、２１    ＩＣ
５、１６                構成電子部品
６                      表示例
８、１２、１９          金属製電磁遮蔽板
９、１３、２０          スリット部分
１７                    ＩＣタグケース
【図１】
2009042854.tif 000003
【図２】
2009042854.tif 000004
【図３】
2009042854.tif 000005
【図４】
2009042854.tif 000006
【図５】
2009042854.tif 000007